(57)【要約】【課題】交流電源用プラグは、ブレード３１Ｒ，３１Ｌの収納スペースを小さくし、小型化を実現する。【解決手段】交流電源用プラグ３０は、ケーシング２０の外壁の同一面に形成された収納凹所２３Ｒ，２３Ｌに収納可能である１対のブレード３１Ｒ，３１Ｌと、回転支持機構４０とを備えている。回転支持機構４０は、１対のブレード３１Ｒ，３１Ｌを、その根元を支点に約９０゜回動させることにより、ケーシング２０の外壁に対して起立させる使用位置と収納凹所２３Ｒ，２３Ｌに収納される収納位置とに、両方のブレードが反対方向へ回動するように機械的に連携して駆動する。【選択図】図３
2011210379.tif 000002
【特許請求の範囲】
【請求項１】
ケーシングに回動可能に支持され、かつ上記ケーシングの外壁の同一面上に形成された収納凹所に収納可能である１対のブレードを備えた交流電源用プラグであって、
上記１対のブレードを、該ブレードの根元を支点に約９０゜回動させることにより、上記ケーシングの外壁に対して起立させる使用位置と上記収納凹所に収納される収納位置とに設定する回転支持機構を有し、
上記回転支持機構は、上記両方のブレードが反対方向へ回動するように機械的に連携させることにより、上記ブレードを上記使用位置と上記収納位置とに設定するように構成されていること、
を特徴とした交流電源用プラグ。
【請求項２】
請求項１に記載の交流電源用プラグにおいて、
上記回転支持機構は、上記ブレードの根元に固定された主動歯車と、該主動歯車に噛み合いかつ一方の主動歯車と他方の主動歯車とを連動させる従動歯車とを備えている交流電源用プラグ。
【請求項３】
請求項１に記載の交流電源用プラグにおいて、
上記回転支持機構は、上記ブレードの根元にそれぞれ固定されたクランク部材を備え、両クランク部材を連結しかつ一方のクランク部材と他方のクランク部材とを連動させるように連結したリンク機構とを備えた交流電源用プラグ。
【発明の詳細な説明】
【技術分野】
【０００１】
本発明は、可倒式のブレードを備えた交流電源用プラグに関する。
【背景技術】
【０００２】
従来、この種の交流電源用プラグは、携帯用電話に充電を行なったり、交流電源を使用電圧に変圧しあるいは直流電源に変換するための交流電源用アダプタに内蔵されている。こうした交流電源用プラグとして、小型化および携帯性の向上を図るために、ブレードをケーシングに対して９０°回転して収容可能である可倒式の構成としたものが知られている。
【０００３】
しかし、従来の交流電源用アダプタでは、ブレードを収納するためにケーシングの外形が大きくなっているという課題があった。また、ケーシングの外形が、従来のアダプタと同じ大きさの場合には、電子部品を収納できる容積が小さくなり、電子基板の設計の自由度を上げることができないという課題がある。
【先行技術文献】
【特許文献】
【０００４】
【特許文献１】特開２００２−３６７７１１号公報
【発明の概要】
【発明が解決しようとする課題】
【０００５】
本発明は、上記従来の技術の問題点を解決することを踏まえ、ブレードの収納スペースを小さくし、小型化を実現することができる交流電源用プラグを提供することを目的とする。
【課題を解決するための手段】
【０００６】
本発明は、上述の課題の少なくとも一部を解決するためになされたものであり、以下の形態または適用例として実現することが可能である。
【０００７】
［適用例１］
適用例１は、ケーシングに回動可能に支持され、かつ上記ケーシングの外壁の同一面に形成された収納凹所に収納可能である１対のブレードを備えた交流電源用プラグであって、
上記１対のブレードを、該ブレードの根元を支点に約９０゜回動させることにより、上記ケーシングの外壁に対して起立させる使用位置と上記収納凹所に収納される収納位置とに設定する回転支持機構を有し、
上記回転支持機構は、上記両方のブレードが反対方向へ回動するように機械的に連携させることにより、上記ブレードを上記使用位置と上記収納位置とに設定するように構成されていること、
を特徴とした。
【０００８】
適用例１に記載の交流電源用プラグを使用するには、ケーシングの収納凹所に収納されているブレードの一方の先端に指を引っかけて、該一方のブレードを回転させる。一方のブレードは、他方のブレードと回転支持機構を介して機械的に連携しているから、両方のブレードは、ケーシングの外壁に対して約９０゜回転して起立して使用位置になり、これをコンセントに差し込む。
【０００９】
こうした交流電源用プラグは、ブレードをケーシングの外壁の収納凹所に収納することができるので、つまり、ブレードをケーシング内の収納スペースに配置しないので、収納スペースにブレードを収納しない分だけ、小型化を実現することができる。また、交流電源用アダプタのケーシングの外形が、従来のアダプタと同じ大きさの場合には、電子部品を収納することができる容積を大きくすることができ、電子基板の設計の自由度を上げることができる。
【００１０】
［適用例２，３］
上記回転支持機構において、両ブレードを機械的に連携させる構成として、種々の構成をとることができ、例えば、適用例２として、ブレードの根元に固定された主動歯車と、該主動歯車に噛み合いかつ一方の主動歯車と他方の主動歯車とを連動させる従動歯車とを備えている構成や、適用例３として、上記ブレードの根元にそれぞれ固定されたクランク部材を備え、両クランク部材を連結しかつ一方のクランク部材と他方のクランク部材とを連動させるように連結したリンク部材とを備えた構成をとることができる。
【図面の簡単な説明】
【００１１】
【図１】本発明の一実施例にかかる交流電源用プラグを搭載した交流電源用アダプタを示す斜視図である。
【図２】交流電源用アダプタを分解した斜視図である。
【図３】図２の交流電源用プラグの付近を拡大した斜視図である。
【図４】交流電源用プラグの構成を説明する説明図である。
【図５】他の実施例にかかる交流電源用アダプタを説明する説明図である。
【発明を実施するための形態】
【００１２】
（１）  交流電源用アダプタ１０の概略構成
図１は本発明の一実施例にかかる交流電源用プラグを搭載した交流電源用アダプタ１０を示す斜視図、図２は交流電源用アダプタ１０を分解した斜視図である。図１および図２において、交流電源用アダプタ１０は、交流電圧をＵＳＢ(Universal Serial Bus)プラグに使用可能である直流電圧に変換する装置であり、ケーシング２０と、ケーシング２０の収納室２１Ｓに収納された電気回路２４と、電気回路２４に接続されたブレード３１Ｒ，３１Ｌを有する交流電源用プラグ３０とを備えている。交流電源用プラグ３０は、ブレード３１Ｒ，３１Ｌを収納位置（図１の２点鎖線）と使用位置（図２の実線）とに回動可能に設定する回転支持機構４０を備えている。この構成により、ブレード３１Ｒ，３１Ｌを収納位置から使用位置まで回動させて、コンセントに差し込み、さらにＵＳＢ端子に接続することにより使用することができる。
【００１３】
（２）  各部の詳細な構成
図２において、ケーシング２０は、収納室２１Ｓを下ケース２１および上ケース２２により囲んで構成しており、収納室２１Ｓに電気回路２４および交流電源用プラグ３０の一部を収納している。ケーシング２０の外壁のうち、ブレード３１Ｒ，３１Ｌが配置されている側壁２０ａには、収納凹所２３Ｒ，２３Ｌが形成されている。この収納凹所２３Ｒ，２３Ｌは、収納位置にあるブレード３１Ｒ，３１Ｌを側壁２０ａから突出しないように収納するための凹所であり、同一面に形成され、深さがブレード３１Ｒ，３１Ｌの厚さとほぼ同じかわずかに深くなっており、さらに、その底面が中央から外側に向けて傾斜した傾斜面２３Ｒａ，２３Ｌａになっている。
【００１４】
図３は図２の交流電源用プラグ３０の付近を拡大した斜視図、図４は交流電源用プラグ３０の構成を説明する説明図である。交流電源用プラグ３０は、ブレード３１Ｒ，３１Ｌを回動可能に支持する回転支持機構４０を備えている。すなわち、ブレード３１Ｒ，３１Ｌは、金属製の接触端子３１ａの端部に回転軸３１ｂが形成されており、この回転軸３１ｂが接続端子３２Ｒ，３２Ｌにより回動可能に支持されている。接続端子３２Ｒ，３２Ｌは、図示しない接続線または接続金具を介して電気回路２４に接続されている。
【００１５】
回転支持機構４０は、ブレード３１Ｒ，３１Ｌの端部を絶縁性樹脂でインサート成形した支持基部４２Ｒ，４２Ｌを備えている。支持基部４２Ｒ，４２Ｌの外周の一部には、主動歯車４３Ｒ，４３Ｌが形成され、この主動歯車４３Ｒ，４３Ｌには、２つの従動歯車４５，４５がそれぞれ噛み合っている。従動歯車４５，４５は、ケーシング２０自体またはケーシング２０に固定された支持部材４１に回動可能に支持されている。こうした構成の回転支持機構４０において、例えば、ブレード３１Ｒの一方の先端を摘んで力を加えれば、ブレード３１Ｒは、回転軸３１ｂを中心に回転することで、主動歯車４３Ｒ、従動歯車４５，４５、主動歯車４３Ｌを介して機械的に連動して、他方のブレード３１Ｌを回動させる。すなわち、図４に示すように、回転支持機構４０は、ブレード３１Ｒ，３１Ｌを収納凹所２３Ｒ，２３Ｌの端部のストッパ２３Ｒｂ，２３Ｒｃおよびストッパ２３Ｌｂ，２３Ｌｃの範囲、つまり収納位置と使用位置との約９０゜の範囲で、左右対称に回動するように構成されている。
【００１６】
（３）  交流電源用アダプタ１０の動作
次に、交流電源用アダプタ１０の動作について説明する。図１に示すように、ブレード３１Ｒ，３１Ｌ（２点鎖線で示す）がケーシング２０の収納凹所２３Ｒ，２３Ｌに収納されている収納位置にあるとする。図３および図４に示すように、交流電源用アダプタ１０を使用するには、ケーシング２０の収納凹所２３Ｒ，２３Ｌに収納されているブレード３１Ｒ，３１Ｌの一方の先端に指を引っかけて、例えば、ブレード３１Ｒを回転させる。これにより、ブレード３１Ｒは、回転軸３１ｂを中心に、回転支持機構４０を構成する支持基部４２Ｒとともに一体に回転する。そして、支持基部４２Ｒの回転により、主動歯車４３Ｒも回転すると、主動歯車４３Ｒに噛み合っている従動歯車４５，４５も回転し、さらに他方の主動歯車４３Ｌも回転する。これにより、主動歯車４３Ｌと一体の支持基部４２Ｌもブレード３１Ｌと一体に回転する。そして、ブレード３１Ｒ，３１Ｌは、支持基部４２Ｒ，４２Ｌの端部がストッパ２３Ｒｂ，２３Ｌｂに当たって停止することにより、平行に起立する。これにより、ブレード３１Ｒ，３１Ｌは、コンセントに差し込むことができる状態になる。
【００１７】
一方、図１に示すように、ブレード３１Ｒ，３１Ｌ（実線）を使用位置から収納位置（２点鎖線）に戻すには、上述と逆の操作を行なう。すなわち、図３および図４に示すように、起立しているブレード３１Ｒ，３１Ｌの一方、例えば、ブレード３１Ｒを収納凹所２３Ｒに向けて倒すように力を加える。これにより、ブレード３１Ｒは、回転軸３１ｂを中心に、支持基部４２Ｒとともに一体に回転する。そして、支持基部４２Ｒの回転により、主動歯車４３Ｒ、従動歯車４５，４５も回転し、さらに他方の主動歯車４３Ｌも回転する。これにより、主動歯車４３Ｌと一体の支持基部４２Ｌも回転し、ブレード３１Ｌも収納凹所２３Ｌの方向へ倒れる。そして、ブレード３１Ｒ，３１Ｌの端部がストッパ２３Ｒｃ，２３Ｌｃに当たると回動が止まり、ブレード３１Ｒ，３１Ｌが収納凹所２３Ｒに，２３Ｌにそれぞれ収納される。これにより、交流電源用アダプタ１０の携行などが容易となる。
【００１８】
（４）  上記実施例により、以下の作用・効果を奏する。
（４）−１  交流電源用プラグ３０の回転支持機構４０は、ブレード３１Ｒ，３１Ｌをケーシング２０の外壁の収納凹所２３Ｒ，２３Ｌに収納することができるので、つまり、ブレード３１Ｒ，３１Ｌをケーシング２０の内側へ収納しないので、小型化を実現することができる。
【００１９】
（４）−２  交流電源用アダプタ１０のケーシングの外形が、従来のアダプタと同じ大きさである場合には、電子部品を収納することができる容積を大きくすることができ、電子基板の設計の自由度を上げることができる。
【００２０】
（４）−３  ブレードを収納位置から使用位置へ移行させるには、収納凹所２３Ｒ，２３Ｌに収納されている一方のブレードの先端を掴んで回動させれば、他方のブレードも起立するから、収納位置から使用位置への操作も簡単である。また、ブレードを使用位置から収納位置へ移行させるには、一方のブレードの先端を掴んで回動させれば、他方のブレードも倒れて収納凹所２３Ｌに収納されるから、収納位置から使用位置への操作も簡単である。
【００２１】
（４）−４  収納凹所２３Ｒ，２３Ｌは、その底面を傾斜面２３Ｒａ，２３Ｌａとしているから、収納凹所２３Ｒ，２３Ｌに収納されているブレード３１Ｒ，３１Ｌの先端側がやや起き上がるように設定されるから、ブレード３１Ｒ，３１Ｌを起立させる作業が容易である。
【００２２】
（５）  他の実施例
なお、この発明は上記実施例に限られるものではなく、その要旨を逸脱しない範囲において種々の態様において実施することが可能であり、例えば次のような変形も可能である。
【００２３】
図５は他の実施例にかかる交流電源用アダプタ１０Ｂを説明する説明図である。本実施例は、ブレード３１Ｒ，３１Ｌをリンク機構を介して連携させた回転支持機構４０Ｂの構成に特徴を有する。すなわち、回転支持機構４０Ｂは、上記ブレード３１Ｒ，３１Ｌの根元にそれぞれ固定されたクランク部材４６Ｒ，４６Ｌを備え、両クランク部材４６Ｒ，４６Ｌを連結するリンク機構４８を備えている。この回転支持機構４０Ｂの構成によっても、一方のブレードが回転すれば、クランク部材およびリンク機構を介して他方のブレードも回転するように連動するから、収納位置と使用位置とに設定することができる。
【００２４】
上記実施例におけるブレードを収納する収納凹所は、ケーシングの側面の壁に形成したが、これに限らず、ケーシングの正面の壁の上部などに形成してもよい。
また、上記実施例では、交流電源用プラグのブレードをその根元だけで回転したが、ブレード交流電源用プラグ全体を支持部材で支持し、この支持部材をケーシングに対して回動させる構成を加えてもよい。この構成により、ケーシングの複数の面で、ブレードの起立する向きを替えることができ、使い勝手をよくすることができる。
さらに、上記実施例では、ブレードと電気回路とを接続する構成として、ブレードの回転軸３１ｂを接続端子３２Ｒ，３２Ｌで回転可能に支持するとともに電気的接触をとっているが、これに限らず、ブレードの一端にハーネスを半田付けするなどの構成をとってもよい。
また、上記実施例では、ブレードの先端を指で引っ掛けることにより、ブレードを回動させる構成としたが、これに限らず、回動支持機構の歯車に連動するノブや、押しボタン、スライドボタンなどを設けて、ノブなどを操作する構成をとってもよい。
さらに、上記実施例におけるブレードの支持機構は、支持部材４１を介してケーシング２０に支持する構成としたが、これに限らず、ケーシングに直接回転軸などを支持する構成としてもよく、これにより部品点数を減らしてコストを低減することができる。
【符号の説明】
【００２５】
１０…交流電源用アダプタ
１０Ｂ…交流電源用アダプタ
２０…ケーシング
２０ａ…側壁
２１…下ケース
２１Ｓ…収納室
２２…上ケース
２３Ｌ…収納凹所
２３Ｒ…収納凹所
２３Ｒａ…傾斜面
２３Ｒｂ…ストッパ
２３Ｒｃ…ストッパ
２３Ｌｂ…ストッパ
２３Ｌｃ…ストッパ
２４…電気回路
３０…交流電源用プラグ
３１Ｌ…ブレード
３１Ｒ…ブレード
３１ａ…接触端子
３１ｂ…回転軸
３２Ｒ…接続端子
４０…回転支持機構
４０Ｂ…回転支持機構
４１…支持部材
４２Ｌ…支持基部
４２Ｒ…支持基部
４３Ｌ…主動歯車
４３Ｒ…主動歯車
４４…主動歯車
４５…従動歯車
４６Ｒ…クランク部材
４８…リンク機構
【図１】
2011210379.tif 000003
【図２】
2011210379.tif 000004
【図３】
2011210379.tif 000005
【図４】
2011210379.tif 000006
【図５】
2011210379.tif 000007